(57)【要約】【課題】施工時間がかからず遮音性能が良好な折版を提供する。【解決手段】山部２１と谷部２５とが設けられた屋根用の折版２である。そして、折版２の裏面には、振動を熱エネルギーに変換して吸収する制振塗料４０が塗装される。  また、この折版２を重ね合わせて形成される屋根である。そして、折版２の敷設方向の両端には、一対の山部２１，２１が設けられ、山部２１には頂面２２と膨出部２３と窪み部２４とが設けられて、一方の折版の膨出部２３が、他方の折版の膨出部３３に嵌合されるとともに他方の折版の窪み部３４に掛止される。【選択図】図１
2010255213.tif 000002
【特許請求の範囲】
【請求項１】
山部と谷部とが設けられた屋根用の折版であって、
前記折版の裏面には、振動を熱エネルギーに変換して吸収する制振塗料が塗装されることを特徴とする折版。
【請求項２】
前記折版の略水平な部分の裏面には前記制振塗料が塗装される塗装部が設けられるとともに、略水平でない部分の裏面には塗装されない無塗装部が設けられることを特徴とする請求項１に記載の折版。
【請求項３】
前記折版の建物の構造体への取付部には前記制振塗料が塗装されない無塗装部が設けられることを特徴とする請求項１又は請求項２に記載の折版。
【請求項４】
前記制振塗料は、高分子を母材とし、前記母材中に、前記母材における双極子モーメント量を増加させるベンゾトリアゾール基を持つ化合物、及びジフェニルアクリレート基を持つ化合物の中から選ばれた１種若しくは２種以上からなる活性成分が含まれていることを特徴とする請求項１乃至請求項３のいずれか一項に記載の折版。
【請求項５】
請求項１乃至請求項４のいずれか一項に記載の折版を重ね合わせて形成される屋根であって、
前記折版の敷設方向の両端には、一対の前記山部が設けられ、
前記山部には、略平坦に形成された頂面と、前記頂面の両側に形成された膨出部と、前記膨出部の下縁に形成された窪み部と、が設けられて、
一方の折版の前記膨出部が、他方の折版の前記膨出部に嵌合されるとともに他方の折版の前記窪み部に掛止されることを特徴とする屋根。
【発明の詳細な説明】
【技術分野】
【０００１】
本発明は、折版及び屋根に関するものである。
【背景技術】
【０００２】
従来、住宅などの屋根として、山部と谷部とが交互に設けられた折版を重ね合わせた折版屋根が知られている。
【０００３】
この折版屋根を構成する折版は、一般に薄い鋼板によって形成されているため、雨滴が当たることで騒音が生じるという問題があった。このため、折版の裏面には、発泡体やグラスウールなどの防音材を設置することが多い。
【０００４】
一方、このように防音材を設置する折版では、平面状の折版の裏面に防音材を積層した後にこれを折り曲げて山部や谷部を設けるため、防音材を厚くすることが困難で充分な遮音性能を得ることが困難であった。
【０００５】
そこで、例えば特許文献１には、スチレン・イソプレンブロックコポリマーと無機粉体とポリオレフィン系樹脂とからなる樹脂組成物で形成した制振シートを折版の裏面に積層した折版が開示されている。この構成によれば、制振シートの厚さを薄くしても遮音効果と騒音発生の抑制効果を高めることができるうえに、簡単な作業工程で折版を製作できる。
【先行技術文献】
【特許文献】
【０００６】
【特許文献１】特許第３３１５６１４号公報
【発明の概要】
【発明が解決しようとする課題】
【０００７】
しかしながら、前記した特許文献１の折版では、取付金具に対する嵌合部分などで制振シートが剥がれないように細心の注意を払って施工する必要があり、施工時間がかかっていた。
【０００８】
そこで、本発明は、施工時間がかからず遮音性能が良好な折版と屋根とを提供することを目的としている。
【課題を解決するための手段】
【０００９】
前記目的を達成するために、本発明の折版は、山部と谷部とが設けられた屋根用の折版であって、前記折版の裏面には、振動を熱エネルギーに変換して吸収する制振塗料が塗装されることを特徴とする。
【００１０】
また、前記折版の略水平な部分の裏面には前記制振塗料が塗装される塗装部が設けられるとともに、略水平でない部分の裏面には塗装されない無塗装部が設けられる構成とすることができる。
【００１１】
さらに、前記折版の建物の構造体への取付部には前記制振塗料が塗装されない無塗装部が設けられる構成とすることができる。
【００１２】
そして、前記制振塗料は、高分子を母材とし、前記母材中に、前記母材における双極子モーメント量を増加させるベンゾトリアゾール基を持つ化合物、及びジフェニルアクリレート基を持つ化合物の中から選ばれた１種若しくは２種以上からなる活性成分が含まれている構成とすることができる。
【００１３】
また、本発明の屋根は、上記したいずれかに記載の折版を重ね合わせて形成される屋根であって、前記折版の敷設方向の両端には、一対の前記山部が設けられ、前記山部には、略平坦に形成された頂面と、前記頂面の両側に形成された膨出部と、前記膨出部の下縁に形成された窪み部と、が設けられて、一方の折版の前記膨出部が、他方の折版の前記膨出部に嵌合されるとともに他方の折版の前記窪み部に掛止されることを特徴とする。
【発明の効果】
【００１４】
このように、本発明の折版は、山部と谷部とが設けられた屋根用の折版であって、折版の裏面には、振動を熱エネルギーに変換して吸収する制振塗料が塗装されている。
【００１５】
このため、あらかじめ制振塗料を塗装しておくことで施工が簡単であり、制振塗料によって振動を吸収することで遮音性能が良好になるうえ、制振塗料が折版に直接塗装されることで長期の使用によっても剥がれることなく耐久性の高い折版となる。
【００１６】
また、折版の略水平な部分の裏面には制振塗料が塗装される塗装部が設けられるとともに、略水平でない部分の裏面には塗装されない無塗装部が設けられる。
【００１７】
したがって、塗装部によって雨滴による振動を吸収して騒音を防止しつつ、無塗装部を設けることで全体の費用の増加を抑制できる。
【００１８】
さらに、折版の建物の構造体への取付部には制振塗料が塗装されない無塗装部が設けられることで、制振塗料が取付金具などによって削り落とされることがなくなり、いっそう屋根全体の耐久性を高めることができる。
【００１９】
そして、制振塗料は、高分子を母材とし、母材中に、母材における双極子モーメント量を増加させるベンゾトリアゾール基を持つ化合物、及びジフェニルアクリレート基を持つ化合物の中から選ばれた１種若しくは２種以上からなる活性成分が含まれている。
【００２０】
したがって、制振塗料に外力が加わった状態では、化合物が高分子主鎖の動きを束縛して、振動を摩擦熱に変換して吸収することができる。
【００２１】
また、本発明の屋根は、上記したいずれかに記載の折版を重ね合わせて形成される屋根であって、折版の敷設方向の両端には、一対の山部が設けられ、山部には、略平坦に形成された頂面と、頂面の両側に形成された膨出部と、膨出部の下縁に形成された窪み部と、が設けられて、一方の折版の膨出部が、他方の折版の膨出部に嵌合されるとともに他方の折版の窪み部に掛止される。
【００２２】
したがって、このような形状によって必要な止水性能を維持しつつも折版どうしを強固に連結するとともに、裏面に塗装された制振塗料によって遮音性能が良好で耐久性が高い屋根となる。
【図面の簡単な説明】
【００２３】
【図１】実施例１の折版の構成を説明する断面図である。
【図２】屋根の全体構成を説明する斜視図である。
【図３】折版の勘合部分の構成を拡大して説明する断面図である。
【図４】実施例１の折版の遮音性能を説明するグラフである。
【図５】実施例２の折版の構成を説明する断面図である。
【図６】実施例２の屋根の構成を説明する断面図である。
【発明を実施するための形態】
【００２４】
以下、本発明の実施の形態について図面を参照して説明する。
【実施例１】
【００２５】
まず、図２を用いて本発明の折版２を備える屋根１の全体構成を説明する。
【００２６】
なお、図示しないが、本実施例の屋根１は、建物ユニットに設置されるものである。この建物ユニットは、４本の角形鋼管などの柱と、柱の下端間を連結する４本の鋼製の床梁と、柱の上端間を連結する４本の鋼製の天井梁５１（図２参照）と、からなる骨組み構造体によって構成されている。
【００２７】
そして、本発明の屋根１は、図２に示すように、一方の折版２と他方の折版３とが重ね合わされて形成されており、建物の構造体としての天井梁５１に取付金具５２によって取付けられている。
【００２８】
この天井梁５１は、Ｃ字断面の鋼材によって形成されるものであり、対向する天井梁（不図示）との間には野縁（不図示）が架け渡され、この野縁に石膏ボード（不図示）が貼られて天井が形成される。なお、隣接する野縁の間には断熱材が設置されている。
【００２９】
また、取付金具５２は、鋼板によって略Ｌ字状に形成されるもので、上部の両側には円弧状の掛止部５２ａが設けられ、天井梁５１の上側フランジの上面に固定されている。
【００３０】
そして、本実施例の折版２は、鋼板を折り曲げて形成されるものであり、図１に示すように、上方に突出した山部２１と、下方に突出した谷部２５と、山部２１と谷部２５とを繋ぐ傾斜部２８と、を備えており、裏面の略全面には制振塗料４０が塗装されている。
【００３１】
山部２１には、略平坦状に形成された頂面２２と、この頂面２２の両側に形成された円弧状の膨出部２３と、この膨出部２３の下縁に形成された溝状の窪み部２４と、が設けられている。
【００３２】
また、谷部２５には、略平坦状に形成された底面２６と、この底面２６の中央を一段低くした溝部２７と、が設けられている。
【００３３】
したがって、図３に示すように、一方の折版２の端部の山部２１の膨出部２３が、他方の折版３の端部の山部３１の膨出部３３の下側に嵌合されるとともに、この一方の膨出部２３は他方の窪み部３４に掛止されることで、両方の折版２，３が相互に固定される。
【００３４】
さらに、下側の一方の折版２の山部２１には、この山部２１の形状に嵌合する掛止部５２ａを有する取付金具５２が嵌合されて、屋根１が建物の構造体としての天井梁５１に固定される。
【００３５】
この取付金具５２は、鋼板などの金属によって形成されるもので、Ｌ字状に折り曲げられた本体部と、本体部の上端の両側に突出した掛止部５２ａ，５２ａと、によって構成されている。
【００３６】
そして、この両側の掛止部５２ａ，５２ａの幅は、折版２の対向する窪み部２４，２４間の距離よりも狭く形成されているため、嵌合する際には互いに弾性変形したうえで嵌合する。
【００３７】
また、制振塗料４０は、振動を熱エネルギーに変換して吸収するものであり、折版２の裏面の略全体に所定の厚みをもって塗装されている。
【００３８】
この制振塗料４０は、高分子を母材とし、母材中には、母材における双極子モーメント量を増加させるベンゾトリアゾール基を持つ化合物、及びジフェニルアクリレート基を持つ化合物の中から選ばれた１種若しくは２種以上からなる活性成分が含まれている。
【００３９】
また、この高分子として、プラスチック系では、ポリアミド、ポリ塩化ビニル、ＡＢＳ、ポリプロピレン、ポリアセタール、塩素化ポリエチレン、ポリスチレン、エチレン−酢酸ビニル共重合体、エポキシ樹脂、ポリウレタン、などを用いることができる。
【００４０】
さらに、この高分子として、ゴム系では、ニトリルゴム、ブタジエンゴム、ブチルゴム、塩化ゴム、などを用いることができる。
【００４１】
なお、この制振塗料４０の厚みは、高分子の材質にもよるが、遮音性能と耐久性能の両方を得ることができるように、折版２の板厚と略同一程度か、板厚よりもやや厚い程度に形成することが好ましい。
【００４２】
次に、本実施の形態の折版２の作用・効果について説明する。
【００４３】
（１）このように、本実施例の折版２は、山部２１と谷部２５とが設けられた屋根用の折版２であって、折版２の裏面には、振動を熱エネルギーに変換して吸収する制振塗料４０が塗装されている。
【００４４】
このため、制振塗料４０を塗装しておくことで施工時間がかからず、制振塗料４０によって振動を吸収することで遮音性能が良好になるうえ、制振塗料４０が折版２に直接塗装されることで長期の使用によっても剥がれることなく耐久性の高い折版となる。
【００４５】
すなわち、一般に、雨音は雨滴の衝突によって折版２が振動することで折版２が音源となって発生するほか、折版２の振動が取付金具５２を介して天井梁５１に固体音として伝播することで発生する。つまり、屋根１では、折版２が音源となるのと同時に、固体音を伝播する媒体となる。
【００４６】
加えて、この制振塗料４０は、工場において塗装しておくことで強固に折版２と一体化されているため、施工現場で細心の注意を払わなくても剥がれてしまう可能性は低く施工時間がかからない。
【００４７】
そこで、折版２に制振塗料４０を塗装して、折版２の振動を熱エネルギーに変換することで、折版２からの発音を防止するとともに、固体音として伝播することを防止できる。
【００４８】
この制振塗料４０による遮音性能について実験した結果を図４に示す。この図４には、１時間当たり１００ｍｍの散水量（降雨量）、散水装置設置高さ４ｍの室内における騒音測定結果を周波数別に示している。そして、折版２の厚さは０．６ｍｍで、制振塗料４０は厚さ１．０ｍｍ（８５０ｇ／ｍ２）としている。
【００４９】
なお、図中のＮ−３５，Ｎ−４０，Ｎ−４５，Ｎ−５０，Ｎ−５５は、室内騒音の基準曲線であり、ある基準曲線を下回るとき、その最小の基準曲線の呼び方により騒音等級を表すものである。
【００５０】
図４に示すように、塗装なしの場合には、Ｎ値はＮ−５０となっているが、制振塗料４０を塗装すると、Ｎ−３５となっているため、３段階の改善がみられる。これは、住宅における生活実感との対応では、「大きく聞こえる」から「小さく聞こえる」に改善したことを示している。
【００５１】
加えて、この制振塗料４０は、従来の制振シートのように硬化した後に貼設されるものではなく塗装されるものであるため、剥がれ落ちてしまうことはなく、長期の耐久性を維持できる。
【００５２】
さらに、制振塗料４０は、折版２の裏面の略全面に塗装される構成とすることで、折版２の全体で振動を熱エネルギーに変換できるため、遮音効果を大きくすることができる。加えて、裏面の略全面に塗装すれば、塗装部と無塗装部に塗り分けるよりも塗装工程を簡略化できる。
【００５３】
そして、屋根１の裏面側には断熱材が設置されるとともに天井は石膏ボードで形成されているため、制振塗料４０と断熱材と石膏ボードによる三重構造によってさらに遮音性能を高めることができる。
【００５４】
（２）そして、制振塗料４０は、高分子を母材とし、母材中に、母材における双極子モーメント量を増加させるベンゾトリアゾール基を持つ化合物、及びジフェニルアクリレート基を持つ化合物の中から選ばれた１種若しくは２種以上からなる活性成分が含まれている。
【００５５】
したがって、制振塗料４０に外力が加わった状態では、化合物が高分子主鎖の動きを束縛して、振動を摩擦熱に変換して吸収することができる。
【００５６】
つまり、外力のない状態では化合物は高分子主鎖と電荷で引き合っていて安定した状態で存在するが、外力が加わった状態では特殊添加剤が高分子主鎖の動きを束縛することにより摩擦熱として大幅に変換する。
【００５７】
（３）また、本実施例の屋根１は、上記したいずれかの折版２を重ね合わせて形成される屋根１であって、折版２の敷設方向の両端には、一対の山部２１，２１が設けられ、山部２１には、略平坦に形成された頂面２２と、頂面２２の両側に形成された膨出部２３，２３と、膨出部２３，２３の下縁に形成された窪み部２４，２４と、が設けられて、一方の折版２の膨出部２３が、他方の折版３の膨出部３３に嵌合されるとともに他方の折版３の窪み部３４に掛止される。
【００５８】
したがって、このような形状によって必要な止水性能を維持しつつも折版２，３どうしを強固に連結するとともに、裏面に塗装された制振塗料４０によって遮音性能が良好で耐久性が高い屋根１となる。
【００５９】
この場合、従来の制振シートと異なり制振塗料４０を用いることで、膨出部２３，３３の嵌合部分の制振シートが剥がれてしまうことはない。
【実施例２】
【００６０】
以下、図５，６を用いて、前記実施例とは別の折版２Ａを備える屋根１Ａについて説明する。なお、前記実施例で説明した内容と同一乃至均等な部分の説明については同一符号を付して説明する。
【００６１】
まず、構成について説明すると、本実施例の折版２Ａは、鋼板を折り曲げて形成されるものであり、図５に示すように、山部２１と谷部２５と傾斜部２８と、を備えており、略水平な部分の裏面には制振塗料が塗装される塗装部４１，４２が設けられるとともに、略水平でない部分の裏面には塗装されない無塗装部４３が設けられる。
【００６２】
このうち谷部２５の底面２６に設けられた塗装部４１は、谷部２５の裏面の底面２６に平面状に設けられており、両側の傾斜部２８，２８の下部まで所定の厚みをもって塗装されている。
【００６３】
また、山部２１の頂面２２に設けられた塗装部４２は、山部２１の両側の膨出部２３，２３を除く平面状の頂面２２の裏面に所定の厚みをもって平面状に塗装されている。
【００６４】
さらに、無塗装部４３は、折版２Ａの上記した塗装部４１，４２以外の部分として形成されるもので、傾斜部２８の下部から山部２１の膨出部２３までの領域として形成されている。
【００６５】
このように、略水平な部分、すなわち鉛直方向の雨が略直角に当たる部分である山部２１の頂面２２と谷部２５の底面２６には塗装部４１，４２が形成されている。さらに、略水平でない部分、すなわち山部２１の膨出部２３から傾斜部２８の下部までの領域には無塗装部４３が形成されている。
【００６６】
そして、膨出部２３，２３には、図６に示すように、一方の折版２Ａの膨出部２３が、他方の折版３Ａの膨出部３３の下側に嵌合され、他方の窪み部３４に掛止されることで、両方の折版２Ａ，３Ａが相互に固定される。
【００６７】
さらに、下側の一方の山部２１には、掛止部５２ａを有する取付金具５２が嵌合されて、屋根１Ａが建物の構造体としての天井梁５１に固定される。
【００６８】
この場合には、取付金具５２の上端面は塗装部４２を介したうえで折版２Ａの頂面２２と接しているが、取付金具５２の掛止部５２ａは折版２Ａの無塗装部４３に直接に接している。
【００６９】
次に、作用・効果について説明する。
【００７０】
（１）本実施例の折版２Ａには、折版２Ａの鉛直方向から雨滴が当たる略水平な部分の裏面には制振塗料が塗装される塗装部４１，４２が設けられるとともに、鉛直方向から雨滴が当たらない略水平でない部分の裏面には塗装されない無塗装部４３が設けられる。
【００７１】
したがって、塗装部４１，４２によって雨滴による振動を吸収して騒音を防止しつつ、無塗装部４３を設けることで全体の費用の増加を抑制できる。
【００７２】
つまり、山部２１の頂面２２や谷部２５の底面２６には、鉛直上方からの雨滴が板面に略垂直に衝突することで、衝突音が大きくなる。そこで、この衝突音の大きく発生する部位にのみ制振塗料を塗装することで、遮音性能を維持しつつ、制振塗料の使用量を抑制できる。
【００７３】
（２）さらに、折版２Ａの建物の構造体への取付部である膨出部２３，２３には制振塗料が塗装されない無塗装部４３が設けられることで、制振塗料が取付金具５２などによって削り落とされることがなくなり、いっそう屋根１Ａ全体の耐久性を高めることができる。
【００７４】
すなわち、取付金具５２の両側の掛止部５２ａ，５２ａと接触する両側の膨出部２３，２３には制振塗料を塗装しないことで、制振塗料が削り落とされることはなくなり、取付金具５２と折版２Ａの嵌合が緩むことを防止できる。
【００７５】
なお、この他の構成および作用効果については、前記実施例と略同様であるため説明を省略する。
【００７６】
以上、図面を参照して、本発明の実施例を詳述してきたが、具体的な構成は、この実施例に限らず、本発明の要旨を逸脱しない程度の設計的変更は、本発明に含まれる。
【００７７】
例えば、前記実施例１，２では、折版２，２Ａの膨出部２３が取付金具５２の掛止部５２ａに嵌合されて固定される場合について説明したが、これに限定されるものではなく、ボルト・ナットなどによって固定されるものであっても本発明を適用できる。
【符号の説明】
【００７８】
１，１Ａ    屋根
２，３      折版
２Ａ，３Ａ  折版
２１，３１  山部
２２，３２  頂面
２３，３３  膨出部
２４，３４  窪み部
２５，３５  谷部
４０        制振塗料
４１，４２  塗装部
４３        無塗装部
５２        取付金具（建物の構造体）
【図１】
2010255213.tif 000003
【図２】
2010255213.tif 000004
【図３】
2010255213.tif 000005
【図４】
2010255213.tif 000006
【図５】
2010255213.tif 000007
【図６】
2010255213.tif 000008